(57)【要約】【課題】画像データに対する所定の画像処理を簡単な構成で、かつ短時間で実行することができるようにする。【解決手段】原稿画像の種別モードを設定するための操作パネル１４０と、デジタルシグナルプロセッサにより構成された第１，第２の処理部７２，７４と、第１の処理部７２を入力された画像データに対し設定された原稿画像の種別モードに対応する画像処理を行う機能を有するように設定する第１の設定制御部７０３と、第２の処理部７４を入力された画像データに対し設定された原稿画像の種別モードに対応する画像処理を行う機能を有するものに設定する第２の設定制御部７０４とを備える。【選択図】      図３
2004214936.tif 000002
【特許請求の範囲】
【請求項１】
入力された画像データに対し、オペレータにより設定された原稿画像の種別モードに対応する画像処理を行うようにした画像形成装置であって、原稿画像の種別モードを設定するためのモード設定部と、デジタルシグナルプロセッサにより構成されたデータ処理部と、このデータ処理部を、前記入力された画像データに対し前記設定された原稿画像の種別モードに対応する画像処理を行う機能を有するものに設定する画像処理設定制御部とを備えたことを特徴とする画像形成装置。
【請求項２】
前記データ処理部を、前記入力された画像データの種別モードが前記設定された原稿画像の種別モードと同一のものであるか否かを判別する機能を有するものに設定する判別処理設定制御部を備えたことを特徴とする請求項１記載の画像形成装置。
【請求項３】
前記データ処理部は、第１のデータ処理部と第２のデータ処理部とを備え、前記判別処理設定制御部は、前記第１のデータ処理部を、前記入力された画像データの種別モードが前記設定された原稿画像の種別モードと同一のものであるか否かを判別する機能を有するものに設定するものであり、前記画像処理設定制御部は、前記第２のデータ処理部を、前記入力された画像データに対し前記設定された原稿画像の種別モードに対応する画像処理を行う機能を有するものに設定するものであることを特徴とする請求項２記載の画像形成装置。
【発明の詳細な説明】
【０００１】
【発明の属する技術分野】
本発明は、プリンタ、複写機、ファクシミリ装置、それらの機能を併せ持つ複合機等の画像形成装置に関する。
【０００２】
【従来の技術】
一般に、プリンタや複写機等の画像を記録紙に記録するデジタル方式の画像形成装置では、文字モード、網点モード、写真モードなどの原稿画像の種別モードを設定する入力設定部が設けられており、その入力設定部で原稿の種別モードに応じた設定をすることにより、入力された画像データに対して設定された種別モードに対応したフィルタ処理などの所定の画像処理が行われるようになっている。
（例えば、特許文献１参照）。
【０００３】
【特許文献１】
特開平７−２９８０７４号公報（第２〜３頁、図１）
【０００４】
【発明が解決しようとする課題】
ところが、入力された画像データに対し設定された種別モードに対応した画像処理を行うためには、互いに独立した複数の画像処理部を必要とするため、回路的に複雑になると共に、処理時間も長くなるという問題があった。
【０００５】
例えば、文字領域を含む画像データに対し画像処理を行うためには、文字判定を行う判定回路部と文字領域に対し画像処理を行う画像処理回路部とが必要となり、網点領域を含む画像データに対し画像処理を行うためには、網点判定を行う判定回路部と網点領域に対し画像処理を行う画像処理回路部とが必要となる。
【０００６】
また、写真領域を含む画像データに対し画像処理を行うためには、写真判定を行う判定回路部と写真領域に対し画像処理を行う画像処理回路部とが必要となる。このように回路規模が大きくなる一方、すべての画像データに対して各判定処理が実行されることから、それに対応して処理時間が長くなる。
【０００７】
本発明は、このような事情に鑑みてなされたもので、画像データに対する所定の画像処理を簡単な構成で、かつ短時間で実行することができる画像形成装置を提供することを目的とする。
【０００８】
【課題を解決するための手段】
上記目的を達成するため、請求項１の発明は、入力された画像データに対し、オペレータにより設定された原稿画像の種別モードに対応する画像処理を行うようにした画像形成装置であって、原稿画像の種別モードを設定するためのモード設定部と、デジタルシグナルプロセッサにより構成されたデータ処理部と、このデータ処理部を、前記入力された画像データに対し前記設定された原稿画像の種別モードに対応する画像処理を行う機能を有するものに設定する画像処理設定制御部とを備えたことを特徴としている。
【０００９】
この構成によれば、データ処理部が、入力された画像データに対しオペレータにより設定された原稿画像の種別モードに対応する所定の画像処理を行う機能を有するものに設定される。このため、従来のような不必要な処理がなくなることから、簡単な構成で、かつ短時間で所定の画像処理を行うことができる。
【００１０】
また、請求項２の発明は、請求項１に係るものにおいて、前記データ処理部を、前記入力された画像データの種別モードが前記設定された原稿画像の種別モードと同一のものであるか否かを判別する機能を有するものに設定する判別処理設定制御部を備えたことを特徴としている。
【００１１】
この構成によれば、データ処理部が、入力された画像データの種別モードがオペレータにより設定された原稿画像の種別モードと同一のものであるか否かを判別する機能を有するものに設定される。このため、例えば、入力された画像データがオペレータにより設定された原稿画像の種別モードと一致する場合にだけオペレータにより設定された原稿画像の種別モードに対応した画像処理を行うことができ、より確実な処理が実行される。
【００１２】
また、請求項３の発明は、請求項２に係るものにおいて、前記データ処理部は、第１のデータ処理部と第２のデータ処理部とを備え、前記判別処理設定制御部は、前記第１のデータ処理部を、前記入力された画像データの種別モードが前記設定された原稿画像の種別モードと同一のものであるか否かを判別する機能を有するものに設定するものであり、前記画像処理設定制御部は、前記第２のデータ処理部を、前記入力された画像データに対し前記設定された原稿画像の種別モードに対応する画像処理を行う機能を有するものに設定するものであることを特徴としている。
【００１３】
この構成によれば、第１のデータ処理部が、入力された画像データの種別モードが設定された原稿画像の種別モードと同一のものであるか否かを判別する機能を有するものに設定され、第２のデータ処理部が、入力された画像データに対し設定された原稿画像の種別モードに対応する画像処理を行う機能を有するものに設定される。このため、判定処理と画像処理とを連続的に実行することができ、処理時間を短くすることができる。
【００１４】
【発明の実施の形態】
図１は、本発明の一実施形態に係るデジタル方式のカラー複写機の内部構成を概略的に示す図である。この図において、画像形成装置１０は、タンデム型のデジタルカラー複写機を構成するものであり、上部に配置され、原稿画像を読み取るための画像読取部１２と、下部に配置され、画像読取部１２で読み取った原稿画像を記録紙に転写するための本体部１４と、本体部１４の上方に配設され、本体部１４で原稿画像の転写された記録紙が排出される記録紙排出部１６とから構成されている。
【００１５】
画像読取部１２は、ＣＣＤ（Ｃｈａｒｇｅ  Ｃｏｕｐｌｅｄ  Ｄｅｖｉｃｅ）などから構成されたスキャナ１２１を備えており、このスキャナ１２１により第１のコンタクトガラス１２２上に載置された原稿の画像を読み取る一方、原稿載置部１２３に積層された複数枚の原稿を順次第２のコンタクトガラス１２４上に送り出し、この第２のコンタクトガラス１２４上を通過する原稿の画像を読み取るようにしたものである。このスキャナ１２１で読み取られた画像データはメモリに記憶される。
【００１６】
本体部１４は、筐体１４１内の下部に配設された給紙カセット１４２と、筐体１４１内の上部に配設された画像形成部１４３と、筐体１４１内における画像形成部１４３の下方に配設された転写搬送部１４４と、筐体１４１内における転写搬送部１４４の下流側に配設された定着ユニット１４５と、給紙カセット１４２から繰り出された記録紙を転写搬送部１４４側に送出する第１の搬送路１４６と、定着ユニット１４５を通過した記録紙を記録紙排出部１６に排出する第２の搬送路１４７とを備えている。なお、本体部１４の適所に、原稿画像の文字モード、網点モードなどの種別モードや記録紙サイズなどの複写条件を設定するための操作パネル１４０が設けられている。
【００１７】
給紙カセット１４２は、内部に集積された記録紙Ｐが図略の給紙ローラにより１枚ずつ第１の搬送路１４６側に繰り出されるように構成されている。画像形成部１４３は、記録紙上に複数のトナー画像を多重形成するようにしたもので、マゼンタのトナー画像を形成する第１の画像形成ユニット１４８、シアンのトナー画像を形成する第２の画像形成ユニット１４９、イエローのトナー画像を形成する第３の画像形成ユニット１５０及びブラックのトナー画像を形成する第４の画像形成ユニット１５１が記録紙の搬送方向に沿って所定間隔をおいて配置されてなるものである。
【００１８】
各画像形成ユニット１４８乃至１５１は、感光体ドラム１５２と、感光体ドラム１５２の周面に対向して配設された帯電部１５３と、帯電部１５３の下流側であって感光体ドラム１５２の周面に対向して配設された露光部１５４と、露光部１５４の下流側であって感光体ドラム１５２の周面に対向して配設された現像部１５５と、現像部１５５の下流側であって感光体ドラム１５２の周面に対向して配設されたクリーニング部１５６とを備えている。また、感光体ドラム１５２の周面であって現像部１５５とクリーニング部１５６との間に後述する転写ローラ１６４が対向配置されることで転写部１５７が形成される。なお、各画像形成ユニット１４８乃至１５１の感光体ドラム１５２は、駆動モータにより図示の時計回り方向に回転するようになっている。
【００１９】
転写搬送部１４４は、第１の画像形成ユニット１４８の近傍位置に配設された従動ローラ１６１と、第４の画像形成ユニット１５１の近傍位置に配設された駆動ローラ１６２と、従動ローラ１６１と駆動ローラ１６２とに跨って配設された無端状画像担持体である転写ベルト１６３と、各画像形成ユニット１４８乃至１５１の感光体ドラム１５２の現像部１５５の下流側における位置に転写ベルト１６３を介して圧接可能に配設された４つの転写ローラ１６４とを備えている。
【００２０】
この転写搬送部１４４では、第１の搬送路１４６から搬送されてきた記録紙を駆動モータにより図示の反時計回り方向に回転する転写ベルト１６３上に静電吸着して下流側に搬送すると共に、各画像形成ユニット１４８乃至１５１の転写部１５７の位置で記録紙に対してトナー像が転写されるようになっている。  定着ユニット１４５は、画像形成部１４３の感光体ドラム１５２の表面に形成された各トナー像が多重転写された記録紙を加熱することにより定着処理するものであり、ヒータが内蔵された定着ローラ１６５と、定着ローラ１６５に圧接して配設された加圧ローラ１６６とを備えている。
【００２１】
図２は、図１に示す画像形成装置１０の主たる制御構成を示すブロック図である。すなわち、装置全体の動作を制御するＣＰＵ（Ｃｅｎｔｒａｌ  Ｐｒｏｃｅｓｓｉｎｇ  Ｕｎｉｔ）、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）などからなる制御部５０に、操作パネル部５２、画像読取部５４、画像処理ユニット部５６、プリンタ部５８、駆動モータ部６０及び画像メモリ部６２が接続されている。操作パネル部５２は、原稿画像の種別モード、記録紙サイズ、複写部数などを設定するためのもので、図１に示す操作パネル１４０などからなるものである。画像読取部５４は、原稿画像を読み取って得たＲ、Ｇ、Ｂの画像データをＹ、Ｍ、Ｃ、Ｋの画像データに変換するもので、図１に示すスキャナ１２１などからなるものである。
【００２２】
画像処理ユニット部５６は、画像読取部５４で読み取られた画像データの種別モード（文字モードの画像か、網点モードの画像か、写真モードの画像かなど）を判定するモード判定部６４と、画像読取部５４で読み取られた画像データに対し、画像データの種別モードに対応する画像処理を実行する画像処理部６６とを備えている。この画像処理ユニット部５６の詳細な構成については後述する。プリンタ部５８は、画像読取部５４で読み取られた原稿画像を記録紙に複写するもので、図１に示す給紙カセット１４２、画像形成部１４３、転写搬送部１４４、定着ユニット１４５、第１の搬送路１４６、第２の搬送路１４７などからなるものである。
【００２３】
駆動モータ部６０は、画像形成部１４３を構成する感光体ドラム１５２の回転駆動、転写搬送部１４４を構成する転写ベルト１６３の回転駆動、第１の搬送路１４６や第２の搬送路１４７の駆動などに用いる駆動モータを含むものである。画像メモリ部６２は、画像読取部５４で読み取られた画像データを記憶するためのものである。なお、画像読取部５４で読み取られた画像データは、圧縮された状態で画像メモリ６２に記憶され、画像メモリ６２から読み出されるときに伸張される。
【００２４】
このように構成された画像形成装置１０は、制御部５０の制御動作に基づき、次のように動作する。すなわち、第１のコンタクトガラス１２２上に原稿が載置されるか、あるいは原稿載置部１２３に原稿が載置され、操作パネル部５２の操作パネル１４０が操作されて原稿画像の種別モードや複写部数などが設定されてスタートボタンが操作されると、画像読取部５４のスキャナ１２１により原稿画像が取り込まれ、画像メモリ部６２に記憶される。
【００２５】
この画像メモリ部６２に記憶されている画像データは、その種別モードが画像処理ユニット部５６のモード判定部６４により判定され、操作パネル１４０で設定された原稿画像の種別モードと一致するか否かが確認される。操作パネル１４０で設定された原稿画像の種別モードと一致している場合、画像処理ユニット部５６の画像処理部６６に画像データの種別モードに対応するフィルタ処理などの画像処理が実行され、この画像処理の施された画像データがプリンタ部５８を構成する画像形成部１４３に送信される。
【００２６】
画像形成部１４３の各感光体ドラム１５２では、帯電部１５３で表面に静電領域が形成され、この静電領域が露光部１５４からの出力光により露光されることで送信されてきた所定の画像処理の施された画像データに基づく静電潜像が形成され、その後に現像部１５５でトナー像が形成される。
【００２７】
一方、給紙カセット１４２から記録紙が繰り出され、第１の搬送路１４６により画像形成部１４３側に搬送される。そして、画像形成部１４３の画像形成動作とのタイミングが図られたうえで転写搬送部１４４に搬送され、各画像形成ユニット１４８乃至１５１で記録紙にトナー像が順次転写される。
【００２８】
このトナー像の転写された記録紙は、定着ユニット１４５に搬送され、定着ローラ１６５により加熱されつつ定着ローラ１６５と加圧ローラ１６６とで挟持されて下流側に搬送され、第２の搬送路１４７により記録紙排出部１６に排出される。トナー像を記録紙に転写した各感光体ドラム１５２は、クリーニング部１５３で表面に残留したトナーが除去される。
【００２９】
図３は、画像処理ユニット部５６の構成を示すブロック図である。画像処理ユニット部５６は、データコミュニケーションユニット７０、第１の処理部７２、第２の処理部７４、第１のメモリ７６及び第２のメモリ７８を備えている。
【００３０】
データコミュニケーションユニット７０は、画像処理ユニット部５６の全体の動作を制御するもので、ＣＰＵ（Ｃｅｎｔｒａｌ  Ｐｒｏｃｅｓｓｉｎｇ  Ｕｎｉｔ）、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）などで構成される。第１の処理部７２は、デジタルシグナルプロセッサ（ＤＳＰ）により図２に示す画像処理ユニット部５６のモード判定部６４を構成するものであり、原稿画像の種別モードがオペレータにより操作パネル部５２で設定されることで出力される種別モードデータと、画像読取部５４で原稿画像を読み取ることにより得られた画像データとがデータコミュニケーションユニット７０に送信されたとき、その画像データがオペレータにより設定された原稿画像の種別モードと同一のものであるか否かを判定する判定処理を実行するものである。
【００３１】
例えば、オペレータにより文字モードが設定されると、データコミュニケーションユニット７０に入力された画像データが文字モードであるかどうかを判定し、オペレータにより網点モードが設定されると、入力された画像データが網点モードであるかどうかを判定する。また、オペレータにより文字と網点の混在モードが設定されると、入力された画像データが文字と網点の混在モードであるかどうかを判定し、オペレータにより写真モードが設定されると、入力された画像データが写真モードであるかどうかを判定する。
【００３２】
これらの判定は、例えば、特開平７−２９８０７４号公報、特開平８−１４９２９５号公報、特開２００２−１０１２９８号公報などに記載されているような周知の方法により実行される。なお、第１のメモリ７６は、第１の処理部７２による判定処理の実行時などにデータを一時的に保存したりするもので、ＲＡＭ（Ｒａｎｄｏｍ  Ａｃｃｅｓｓ  Ｍｅｍｏｒｙ）などで構成されるものである。
【００３３】
第２の処理部７４は、デジタルシグナルプロセッサ（ＤＳＰ）により図２に示す画像処理ユニット部５６の画像処理部６６を構成するものであり、データコミュニケーションユニット７０に入力された画像データに対し、オペレータにより設定された種別モードに対応したフィルタ処理や階調処理などの画像処理を実行するものである。
【００３４】
例えば、オペレータにより文字モードが設定されると、データコミュニケーションユニット７０に入力された画像データに対し、文字モードに対応するエッジ強調処理などの画像処理を実行し、オペレータにより網点モードが設定されると、入力された画像データに対し、網点モードに対応する平滑化処理などの画像処理を実行する。また、オペレータにより文字と網点の混在モードが設定されると、入力された画像データの文字領域に対し文字モードに対応するエッジ強調処理などの画像処理を実行する一方、網点領域に対し網点モードに対応する平滑化処理などの画像処理を実行し、オペレータにより写真モードが設定されると、入力された画像データに対し写真モードに対応する平滑化処理などの画像処理を実行する。
【００３５】
これらの画像処理の施された画像データは出力画像データとしてプリンタ部５８を構成する画像形成部１４３に送出される。これらの画像処理は、例えば、特開平７−２９８０７４号公報、特開平７−２１２５７８号公報、特開２００１−１５７０４７号公報などに記載されているような周知の方法により実行される。なお、第２のメモリ７８は、第２の処理部７４による画像処理の実行時などにデータを一時的に保存したりするもので、ＲＡＭ（Ｒａｎｄｏｍ  Ａｃｃｅｓｓ  Ｍｅｍｏｒｙ）などで構成されるものである。
【００３６】
ここで、データコミュニケーションユニット７０には、操作パネル部５２で原稿画像の種別モードがオペレータにより設定されたか否かを判別する設定判別部７０１、オペレータにより設定された種別モードと入力された画像データの種別モードとが一致するか否かを判別すると共に、一致する場合に何れの種別モードであるかを判別する一致判別部７０２、送信されてきた種別モードデータに基づき、第１の処理部７２を、入力された画像データがその種別モードのものであるか否かを判別する機能を有するものに設定する第１の設定制御部７０３、及び、送信されてきた種別モードデータに基づき、第２の処理部７４を、入力された画像データに対しオペレータにより設定された種別モードに対応する画像処理を実行する機能を有するものに設定する第２の設定制御部７０４としての機能実現部を備えている。
【００３７】
なお、第１の処理部７２により網点モードの判定を実行するときにスクリーン線数を計測し、このスクリーン線数に応じて第２の処理部７２の処理機能を設定すると、画像処理を効率的に行うことができる。例えば、網点原稿は、一般的に６５線、８５線、１００線、１２０線、１３３線、１５０線、１７５線、２００線の８種類が存在するが、なかでもスクリーン線数が１３３線乃至１５０線の画像データの場合にモアレが発生し易くなる。
【００３８】
このため、モアレなどの不具合が発生する所定のスクリーン線数の場合のみ、その不具合の発生を抑制するための画像処理を実行することで効率的な処理を行うことができる。また、モアレは低階調の領域で発生し易くなるので、第１の処理部７２により網点モードの判定を実行するときに階調度を判別し、スクリーン線数に加えて階調を考慮することでさらに効率的な処理が可能となる。
【００３９】
図４は、図３に示す画像処理ユニット部５６の処理動作を説明するためのフローチャートである。最初に、オペレータにより原稿画像の種別モードの設定が行われたか否かが設定判別部７０１により判別される（ステップＳ１）。判別が肯定されたとき、第１の処理部７２が、入力された画像データの種別モードがオペレータにより設定された種別モードと同一のものであるか否かを判定する機能を有するものに第１の設定制御部７０３により設定されると共に、第２の処理部７４が、入力された画像データに対しオペレータにより設定された種別モードに対応する画像処理を実行する機能を有するものに第２の設定制御部７０４により設定される（ステップＳ３）。なお、ステップＳ１での判別が否定されたときは、肯定されるまで待機する。
【００４０】
次いで、入力された画像データの種別モードがオペレータにより設定された種別モードと一致するか否かが一致判別部７０２により判別される（ステップＳ５）。この判別は、例えば、送信されてきた種別モードデータと、第１の処理部７２で得られたデータとを対比することで実行される。このステップＳ５での判別が否定されると処理動作は終了し、例えば操作パネル１４０の液晶モニタに再設定を促すメッセージが表示される。
【００４１】
また、ステップＳ５での判別が肯定されると、入力された画像データが文字と網点の混在モードであるか否かがステップＳ５でのデータを用いて一致判別部７０２により判別される（ステップＳ７）。この判別が肯定されると、第２の処理部７４により画像データの文字領域に対しては文字領域に対応した画像処理が実行され、網点領域に対しては網点領域に対応した画像処理が実行され（ステップＳ９）、画像処理の施された画像データは画像形成部１４３に出力されて処理動作は終了する。
【００４２】
ステップＳ７での判別が否定されると、入力された画像データが文字モードであるか否かがステップＳ５でのデータを用いて一致判別部７０２により判別される（ステップＳ１１）。この判別が肯定されると、第２の処理部７４により画像データに対し文字領域に対応した所定の画像処理が実行され（ステップＳ１３）、画像処理の施された画像データは画像形成部１４３に出力されて処理動作は終了する。
【００４３】
ステップＳ１１での判別が否定されると、入力された画像データが網点モードであるか否かがステップＳ５でのデータを用いて一致判別部７０２により判別される（ステップＳ１５）。この判別が肯定されると、第２の処理部７４により画像データに対し網点領域に対応した所定の画像処理が実行され（ステップＳ１７）、画像処理の施された画像データは画像形成部１４３に出力されて処理動作は終了する。
【００４４】
ステップＳ１５での判別が否定されると、入力された画像データが写真モードであるか否かがステップＳ５でのデータを用いて一致判別部７０２により判別される（ステップＳ１９）。この判別が肯定されると、第２の処理部７４により画像データに対し写真領域に対応した所定の画像処理が実行され（ステップＳ２１）、画像処理の施された画像データは画像形成部１４３に出力されて処理動作は終了する。
【００４５】
なお、ステップＳ１９での判別が否定されると、第２の処理部７４により画像データに対し地肌領域に対応した画像処理が実行され（ステップＳ２３）、画像処理の施された画像データは画像形成部１４３に出力されて処理動作は終了する。
【００４６】
本発明の画像形成装置１０は、上記実施形態に示すように、デジタルシグナルプロセッサにより構成された第１の処理部７２を入力された画像データの種別モードがオペレータにより設定された原稿画像の種別モードと同一のものであるか否かを判別する機能を有するものに設定する一方、デジタルシグナルプロセッサにより構成された第２の処理部７４を入力された画像データに対しオペレータにより設定された原稿画像の種別モードに対応する画像処理を行う機能を有するものに設定するようにしたものである。
【００４７】
このように、本発明の画像形成装置１０では、オペレータにより設定された原稿画像の種別モードに関連して判定処理や画像処理を実行するだけでよいことから、簡単な構成でかつ短時間で画像処理を行うことができる。因みに、従来例の回路構成の場合では、四則演算や分岐処理などに必要な回路が例えば全体で３３０個程度の規模となる場合に、本発明の場合では例えば１７０個程度の規模ですむことになり、それに応じて処理時間も短縮できることになる。
【００４８】
なお、本発明は、上記実施形態のものに限定されるものではなく、例えば、次に述べるような種々の変形態様を必要に応じて採用することができる。
【００４９】
（１）上記実施形態では、画像処理ユニット部５６に、判定処理を実行するための第１の処理部７２と画像処理を実行するための第２の処理部７４とを備えているが、これに限るものではない。例えば、第１の処理部７２及び第２の処理部７４のいずれか一方の処理部のみを備えるようにし、その処理部が判定処理を実行する機能と画像処理を実行する機能とを順次有するように設定すればよい。
【００５０】
（２）上記実施形態では、第１の処理部７２により判定処理を実行し、第２の処理部７４により画像処理を実行するようにしているが、これに限るものではない。例えば、第１の処理部７２を除去して判定処理を実行しないようにすることもできる。この場合、入力された画像データの種別モードがオペレータにより設定された原稿画像の種別モードと一致しない場合であっても、オペレータにより設定された原稿画像の種別モードに対応する画像処理が第２の処理部７４により実行されることになる。
【００５１】
（３）上記実施形態では、画像処理ユニット部５６に、判定処理を実行するための第１の処理部７２と画像処理を実行するための第２の処理部７４とを備えているが、これに限るものではない。例えば、第１，第２の処理部７２，７４に加えてデジタルシグナルプロセッサ（ＤＳＰ）により構成される第３の処理部を設置するようにしてもよい。このように第３の処理部を設置すると、例えば、特開平１１−１４６１９２号公報などに記載されているように、網点判定処理において同時に文字判定が必要となった場合、第１の処理部で網点判定処理を行い、第３の処理部で文字判定を行うことができる。
【００５２】
（４）上記実施形態では、データコミュニケーションユニット７０に、オペレータにより設定された種別モードと入力された画像データの種別モードとが一致するか否かを判別すると共に、一致する場合に何れの種別モードであるかを判別する一致判別部７０２としての機能実現部を備えているが、これに限るものではない。例えば、一致判別部７０２としての機能を第２の処理部７４により実行させるようにしてもよい。
【００５３】
（５）上記実施形態では、第２の処理部７４の機能をオペレータが設定した原稿画像の種別モードに対応して設定するようにしているが、これに限るものではない。例えば、網点モードにおけるモアレの発生を抑制する場合のように、第１の処理部７２により網点モードの判定処理を実行するときに画像データのスクリーン線数、あるいはスクリーン線数と階調度とを判別し、この判別結果とオペレータにより設定された原稿画像の種別モードとから第２の処理部７４の機能を設定するようにしてもよい。
【００５４】
（６）上記実施形態では、画像形成装置１０は、カラー複写機を構成するものであるが、これに限るものではない。例えば、モノクロの複写機であってもよい。また、複写機に限らず、プリンターやファクシミリ装置であってもよく、それらの機能を併せ持つ複合機であってもよい。
【００５５】
【発明の効果】
以上説明したように、本発明の画像形成装置は、デジタルシグナルプロセッサにより構成されたデータ処理部を、入力された画像データに対しオペレータにより設定された原稿画像の種別モードに対応する画像処理を行う機能を有するものに設定するようにしたものであるので、簡単な構成でかつ短時間で所定の画像処理を行うことができる。
【図面の簡単な説明】
【図１】本発明の一実施形態に係る画像形成装置の概略構成を示す内部構成図である。
【図２】図１に示す画像形成装置の主たる制御構成を示すブロック図である。
【図３】図１に示す画像形成装置の画像処理ユニット部の制御構成を示すブロック図である。
【図４】図３に示す画像処理ユニット部の動作を説明するためのフローチャートである。
【符号の説明】
１０  画像形成装置
５６  画像処理ユニット部
７０  データコミュニケーションユニット（制御部）
７２  第１の処理部（第１のデータ処理部）
７４  第２の処理部（第２のデータ処理部）
７６  第１のメモリ
７８  第２のメモリ
１４０  操作パネル（モード設定部）
７０１  設定判別部
７０２  一致判別部
７０３  第１の設定制御部（判定処理設定制御部）
７０３  第２の設定制御部（画像処理設定制御部）
【図１】
2004214936.tif 000003
【図２】
2004214936.tif 000004
【図３】
2004214936.tif 000005
【図４】
2004214936.tif 000006